(57)【要約】【課題】特定の組織細胞における細胞核ＤＮＡの酸化度を定量的に測定する方法を提供する。更には、この方法を用いてＤＮＡ酸化に起因する疾病を病理組織学的に検査する方法、及び該疾病治療剤のスクリーニング方法を提供する。【解決手段】１．核染色色素による細胞核染色，２．標的細胞特異的物質の重染色，及び３．染色核脱色後、酸化ＤＮＡの重染色、の３重染色を行い、それぞれの染色画像につき細胞核や標的細胞の位置、組織の染色度を解析又は計測することにより、標的細胞における細胞核ＤＮＡの酸化度を定量的に測定する。【選択図】  図１
2006017692.tif 000002
【特許請求の範囲】
【請求項１】
次の（ａ）〜（ｆ）各工程をこの記載の順に行うことを特徴とする組織細胞核ＤＮＡ酸化度の非破壊的定量方法：（ａ）核染色色素で組織細胞核を染色の後、その被染色組織の画像につき少なくとも被染色核の位置、及び組織の染色度を解析又は計測する工程；（ｂ）工程（ａ）で得た被染色組織内の標的細胞の膜及び／又は細胞質を、これらの特異的結合物質含有液で重染色する工程；（ｃ）工程（ｂ）で得た被重染色組織細胞内の被染色核を脱色する工程；（ｄ）工程（ｃ）で得た脱色済み組織細胞内の酸化ＤＮＡを、これに対する特異的結合物質含有液又は特異的結合物質未含有液で重染色の後、その被重染色組織の画像につき少なくとも前記標的細胞の存在と位置、被染色酸化ＤＮＡの位置及び組織の染色度（Ｄ）を解析又は計測する工程；（ｅ）工程（ａ）で解析した細胞核の位置と工程（ｄ）で解析した被染色酸化ＤＮＡの位置の同一性、及び工程（ｄ）で解析した標的細胞の存在及び位置と被染色酸化ＤＮＡの存在位置の的確性を確定する工程；及び（ｆ）工程（ｄ）での計測により得た組織の染色度（Ｄ）について、患者由来組織細胞の特異的結合物質含有液による染色度（Ｄpt）及び患者由来組織細胞の特異的結合物質未含有液による染色度（Ｄpc）からＰ＝Ｄpt／Ｄpc、健常者由来組織細胞の特異的結合物質含有液による染色度（Ｄnt）及び健常者由来組織細胞の特異的結合物質未含有液による染色度（Ｄnc）からＮ＝Ｄnt／Ｄnc、次いでＰ／Ｎをそれぞれ順次、算出する工程。
【請求項２】
請求項１に記載の定量方法を用いることを特徴とする、ＤＮＡ酸化に起因する疾病の病理検査方法。
【請求項３】
請求項１に記載の定量方法を用いることを特徴とする、ＤＮＡ酸化に起因する疾病の治療剤のスクリーニング方法。
【請求項４】
請求項３に記載のスクリーニング方法により得られる、ＤＮＡ酸化に起因する疾病の治療剤。
【請求項５】
請求項１に記載の工程（ａ）で用いる核染色色素がニュートラルレッド、工程（ｂ）で用いる特異的結合物質が抗ラミニンβ２鎖モノクローナル抗体、工程（ｄ）で用いる特異的結合物質が抗８−オキソグアニンモノクローナル抗体である筋ジストロフィー患者の細胞核ＤＮＡ酸化度の非破壊的定量方法。
【請求項６】
請求項５に記載の定量方法を用いるスクリーニングにより得られる筋ジストロフィー治療剤。
【発明の詳細な説明】
【技術分野】
【０００１】
本発明は、組織細胞核ＤＮＡ酸化度の非破壊的定量方法に関する。更に詳しくは、特定の組織細胞において個々の細胞を同定しながら細胞核中の酸化ＤＮＡを定量することにより、ＤＮＡ酸化に起因する疾病を病理組織学的に検査する方法、及び該疾病治療剤のスクリーニング方法に関する。
【背景技術】
【０００２】
好気性細胞は、呼吸を営むと同時に常にその副産物である活性酸素を生成している。これらの活性酸素は細胞の抗酸化作用により消去されるが、その作用が十分でないと、酸化ストレスの状態を招き、細胞傷害や細胞死（アポトーシス）を引き起こす。近年、老化や多くの疾患において、細胞内に酸化ストレスの産物が蓄積していくことが見出され、酸化ストレスが老化や疾患と密接に関係していることが明らかになっている。
【０００３】
このような理由から、酸化ストレスについて、その程度や状態を定量的に測定する方法の確立が強く望まれており、既に様々な方法が提案されている。例えば、グルタチオン付加ヘモグロビンをマーカーとし、血液中の赤血球から遊出したヘモグロビン中のグルタチオン付加ヘモグロビン量を測定する方法（特許文献１参照）、モノ不飽和脂肪酸をマーカーとし、血漿や血液等の生体試料中のモノ不飽和脂肪酸量を測定する方法（特許文献２参照）等が公知である。
【０００４】
また、酸化ストレスは細胞核中のＤＮＡを酸化損傷させるため、これらＤＮＡの酸化的損傷産物をマーカーとして酸化ストレスを測定する方法も知られている。このようなＤＮＡの酸化的損傷産物としては、８−オキソグアニン、８−オキソデオキシグアノシン、８−オキソアデニン等が上げられるが、その中でも特にグアニンの酸化体である８−オキソグアニンは、ＤＮＡ複製の際にシトシン以外にアデニンとも塩基対を形成してＣ：Ｇ→Ａ：Ｔ変異を引き起こすことが知られており、発癌や老化の一因になると考えられている。８−オキソグアニンを定量する方法としては、高速液体クロマトグラフィー（ＨＰＬＣ）を用いた電気化学的検出法による定量方法、32Ｐ−ポストラベル法による定量方法等がある。これらＤＮＡの酸化的損傷産物は、臓器や細胞を用いて定量することができるが、ＤＮＡの損傷を修復する過程で血液を経て尿中に排出されるため、尿中の濃度の定量によりＤＮＡの酸化度を測定する方法もよく検討されている。例えば、逆相カラム及びイオン交換カラムの特性を併せ持つゲルろ過カラムに尿を通して分画後、その画分を逆相カラムに通して尿試料を精製後、電気化学検出法等で定量する方法が知られている（特許文献３参照）。他にも、ＤＮＡ中の８−オキソグアニン、８−オキソアデニン及び８−オキソデオキシグアノシンの検出方法として、アビジン、ストレプトアビジン又は抗ビオチン抗体と結合させ、その結合を検出、分析することにより前記ＤＮＡ酸化的損傷産物を定量する方法が公知である（特許文献４参照）。
【０００５】
本発明者は、ＤＭＤ型筋ジストロフィー患者からの骨格筋は生後２〜７年ですでに酸化ストレスの産物であるリポフスチンを細胞質に蓄積しているが、同年齢の健常人からの筋にはリポフスチンがほとんど存在していないことを見い出した(非特許文献１参照)。また、ＤＭＤ型筋ジストロフィーのモデル動物であるｍｄｘマウスの骨格筋においても、ＤＭＤ筋と同様にリポフスチンを蓄積している筋細胞が観察され、これらの細胞は細胞死（アポトーシス）を起こしていることが明らかになった（非特許文献２参照）。したがって、ジストロフィー筋において酸化ストレスの増大と筋細胞の変性との関連性が示唆された。このような理由から、酸化ストレスによる酸化的損傷を組織の各部位あるいは各細胞において定量的に測定する方法は、疾患の病理検査や発症機序の解明、抗酸化剤の効果試験やスクリーニング等において非常に有用な手段になると考えられる。
【特許文献１】特開２０００−７４９２３号公報
【特許文献２】特開２００３−８３９７７号公報
【特許文献３】特開２０００−３１０６２５号公報
【特許文献４】特表平１１−５０７４３５号公報
【非特許文献１】Journalof Molecular Histology,(in press)
【非特許文献２】Histochemistryand Cell Biology,115, 205−214, (2001)
【非特許文献３】HistolHistopathol, 10, 463−479(1995a)
【非特許文献４】蛋白質核酸酵素, 40, 1927−1935 (1995b)
【非特許文献５】化学と生物, 36, 113−119 (1998)
【発明の開示】
【発明が解決しようとする課題】
【０００６】
しかしながら、酸化ストレスを測定するのに、前述したような尿中や血液中に含まれる酸化的損傷産物を定量する方法では、生体における酸化ストレスの程度を知る指標にはなるものの、特定の組織の酸化度を知ることはできず疾患の病理検査には使用できない。さらに、特定の組織において個々の細胞を同定しながら、組織細胞核ＤＮＡの酸化度を定量的に測定する方法は、現在、国内外において全く報告されていない。
【０００７】
従って本発明の目的は、特定の組織の細胞核ＤＮＡの酸化度を定量的に測定する方法を提供することにあり、更には、この方法を用いてＤＮＡ酸化に起因する疾病を病理組織学的に検査する方法、及び該疾病治療剤のスクリーニング方法を提供することにある。
【課題を解決するための手段】
【０００８】
本発明者は、上記課題を解決するために鋭意研究した結果、１．核染色色素による細胞核染色，２．標的細胞特異的物質の重染色，及び３．染色核脱色後、酸化ＤＮＡの重染色、の３重染色を行い、それぞれの染色画像につき細胞核や標的細胞の位置、組織の染色度を解析又は計測することにより、標的細胞における細胞核ＤＮＡの酸化度を定量的に測定できることを見い出した。
【０００９】
本発明によれば、以下（１）〜（５）に記載の技術と薬剤がそれぞれ提供される。
（１）次の（ａ）〜（ｆ）各工程をこの記載の順に行うことを特徴とする組織細胞核ＤＮＡ酸化度の非破壊的定量方法：（ａ）核染色色素で組織細胞核を染色の後、その被染色組織の画像につき少なくとも被染色核の位置、及び組織の染色度を解析又は計測する工程；（ｂ）工程（ａ）で得た被染色組織内の標的細胞の膜及び／又は細胞質を、これらの特異的結合物質含有液で重染色する工程；（ｃ）工程（ｂ）で得た被重染色組織細胞内の被染色核を脱色する工程；（ｄ）工程（ｃ）で得た脱色済み組織細胞内の酸化ＤＮＡを、これに対する特異的結合物質含有液又は特異的結合物質未含有液で重染色の後、その被重染色組織の画像につき少なくとも前記標的細胞の存在と位置、被染色酸化ＤＮＡの位置及び組織の染色度（Ｄ）を解析又は計測する工程；（ｅ）工程（ａ）で解析した細胞核の位置と工程（ｄ）で解析した被染色酸化ＤＮＡの位置の同一性、及び工程（ｄ）で解析した標的細胞の存在及び位置と被染色酸化ＤＮＡの存在位置の的確性を確定する工程；及び（ｆ）工程（ｄ）での計測により得た組織の染色度（Ｄ）について、患者由来組織細胞の特異的結合物質含有液による染色度（Ｄpt）及び患者由来組織細胞の特異的結合物質未含有液による染色度（Ｄpc）からＰ＝Ｄpt／Ｄpc、健常者由来組織細胞の特異的結合物質含有液による染色度（Ｄnt）及び健常者由来組織細胞の特異的結合物質未含有液による染色度（Ｄnc）からＮ＝Ｄnt／Ｄnc、次いでＰ／Ｎをそれぞれ順次、算出する工程。
（２）上記（１）に記載の定量方法を用いることを特徴とする、ＤＮＡ酸化に起因する疾病の病理検査方法。
（３）上記（１）に記載の定量方法を用いることを特徴とする、ＤＮＡ酸化に起因する疾病の治療剤のスクリーニング方法。
（４）上記（３）に記載のスクリーニング方法により得られる、ＤＮＡ酸化に起因する疾病の治療剤。
（５）上記（１）に記載の工程（ａ）で用いる核染色色素がニュートラルレッド、工程（ｂ）で用いる特異的結合物質が抗ラミニンβ２鎖モノクローナル抗体、工程（ｄ）で用いる特異的結合物質が抗８−オキソグアニンモノクローナル抗体である筋ジストロフィー患者の細胞核ＤＮＡ酸化度の非破壊的定量方法。
（６）上記（５）に記載の定量方法を用いるスクリーニングにより得られる筋ジストロフィー治療剤。
【発明の効果】
【００１０】
本発明の組織細胞核ＤＮＡ酸化度の非破壊的定量方法によれば、特定の細胞のＤＮＡの酸化度を定量的に求めることができるため、ＤＮＡ酸化に起因する疾病の病理検査や、これら疾病の治療剤のスクリーニング方法に利用できる。例えば、老化、アポトーシス、癌、動脈硬化、糖尿病、神経変性疾患［例えば、筋萎縮性側索硬化症（ＡＬＳ）・パーキンソン病・アルツハイマー病］、虚血・再灌流障害、アドリアマイシン心筋症、動脈硬化、消化管粘膜障害等々の疾病の病理検査や、これらの疾病の治療剤のスクリーニングに利用できる。
【発明を実施するための最良の形態】
【００１１】
本発明の組織細胞核ＤＮＡ酸化度の非破壊的定量方法は、組織細胞構造を保持した組織切片内で、１．核染色色素による細胞核染色，２．標的細胞特異物質の重染色，及び３．染色核脱色後酸化ＤＮＡの重染色、の３重染色を行い、それぞれの染色画像につき細胞核や標的細胞の位置、組織の染色度を解析又は計測するものである。このようにして標的細胞を同定しながら個々の細胞核の酸化ＤＮＡ量を求めることにより、標的細胞における細胞核ＤＮＡの酸化度の定量を行う。本発明の組織細胞核におけるＤＮＡ酸化度の非破壊的測定法の概要を図１に示す。以下、各工程について順に詳しく説明する。
【００１２】
＜組織細胞核の染色＞
被検者１名につき少なくとも２枚の組織標本を用い、組織切片の細胞核を核染色色素で染色を行う。前記核染色色素としては、後の工程で被染色核の脱色を行うため、脱色可能なものであれば特に限定されない。このような核染色色素として、好ましくはニュートラルレッドを使用する。
【００１３】
＜被染色組織の画像の取り込み・解析＞
上記のようにして組織細胞核の染色を行った後、その被染色組織のカラー画像及びグレーレベル画像の取り込みを行う。グレーレベル画像の取り込みは、後述する吸光度測定用画像解析システムを用いる。このような吸光度測定用画像解析システムを用いることにより、画像の取り込みから個々の細胞核における吸光度（染色度）の測定まで行うことができる。取り込んだ画像から、被染色核の位置及び組織の染色度を確認する。
【００１４】
＜標的細胞特異的蛋白の重染色＞
本工程では、標的細胞を同定するため、該標的細胞の膜及び／又は細胞質に局在している特異的蛋白をマーカーとして選択し、該マーカーに対する特異的結合物質含有液で重染色する。前記特異的結合物質としては、前記マーカーに特異的に結合する物質であれば特に限定されないが、好ましくはモノクローナル抗体を用いる。モノクローナル抗体を用いて染色を行う方法としては、モノクローナル抗体に直接に蛍光物質や酵素を標識して反応させる直接法、又はモノクローナル抗体を一次抗体として反応させた後、蛍光物質や酵素で標識された二次抗体を反応させる間接法を用いることができる。具体的には、筋細胞の同定には筋細胞の基底膜に局在しているラミニンβ２をマーカーとし、一次抗体としてラットの抗ラミニンβ２（γ’）鎖モノクローナル抗体、二次抗体としてビオチン結合抗ラットＩｇＧ（Ｈ＋Ｌ）抗体を用い、次にストレプトアビジン結合アルカリホスファターゼを添加してアビジン−ビオチン複合体を形成させ、最後に発色基質を加えることにより、マーカーのラミニンを重染色することができる。本工程においては、このようなアルカリホスファターゼ反応による発色が好ましい。なぜなら、一般によく使用されるペルオキシターゼ反応による発色は、酸化作用のある過酸化水素を基質として使用するため、次工程の酸化ＤＮＡの定量に影響を与えてしまうからである。従って、酵素標識抗体の発色には、次工程の酸化ＤＮＡの重染色に影響を与えないものを選択する必要がある。また、アルカリホスファターゼ反応に用いられる発色基質としてはＮＢＴ／ＢＣＩＰ、ファーストブルーＢ、ファーストレッド等が上げられる、色素沈殿の局在性等の点から好ましくはＮＢＴ／ＢＣＩＰを使用する。
【００１５】
前記標的細胞を同定するための特異的蛋白（マーカー）として他には、腫瘍マーカーとして、細胞質に局在するα−フェトプロテイン、Ｓ−１００蛋白、中間径フィラメント(ケラチン、ビメンチン、デスミン、ニューロフィラメント蛋白、ＧＦＡＰ)等、細胞膜に局在するepithelial  membrane  antigen等が上げられる。神経組織では、神経細胞に局在するＭＡＰ２、ニューロフィラメント蛋白、myelin  basic  protein、各種神経ペプチド等、更に星状膠細胞に局在するグリア線維性酸性蛋白質（ＧＦＡＰ）、小膠細胞に存在するＦ４／８０等がマーカーとして上げられる。筋細胞のマーカーとしては他に、アクチン、ミオシン、ジストロフィン等がある。分泌細胞のマーカーとしては、内分泌系のホルモンであるガストリン、インスリン、グルカゴン、ＡＣＴＨ、カルシトニン等、外分泌系の分泌蛋白質であるアミラーゼ等が上げられる。アポトーシス細胞のマーカーとしては、Ｂａｘ、Ｂｃｌ−２、Ｂｃｌ−ｘ、Ｆａｓ等の蛋白質が上げられる。本発明ではこれらをマーカーとして用い、前述したような特異的結合物質、例えば標識抗体や特異的染色色素で重染色することにより標的細胞を同定することができる。
【００１６】
また本発明の方法をＤＮＡ酸化に起因する疾病の病理検査に用いる場合、例えば筋ジストロフィーの病理検査を行うには、前記標的細胞として筋細胞を選択し、筋細胞の細胞核ＤＮＡの酸化度を定量する。また肝細胞癌の病理検査には標的細胞として肝細胞を選択し、肺癌の病理検査には肺上皮細胞、頭頚部扁平上皮癌の病理検査には扁平上皮細胞、食道癌の病理検査には扁平上皮細胞、糖尿病の病理検査には単球、筋萎縮性側索硬化症（ＡＬＳ）、パーキンソン病、アルツハイマー病等の神経変性疾患の病理検査には神経細胞、虚血・再灌流障害の病理検査には心筋細胞、アドリマイシン心筋症の病理検査には心筋細胞、動脈硬化の病理検査には血管平滑筋細胞をそれぞれ標的細胞として選択し、本発明で用いることができる。
【００１７】
ここで、本工程の標的細胞特異的蛋白の重染色は、後述する酸化ＤＮＡの重染色工程の前に行わなければならない。なぜなら、酸化ＤＮＡの重染色工程では、細胞核中のＤＮＡを露出させるため事前にプロテアーゼ処理を行う必要があるが、このプロテアーゼ処理を行うと、ＤＮＡ結合蛋白質のみならず、標的細胞を同定するための特異的蛋白までもが分解を受け、検出することができなくなってしまうからである。従って、本発明においては、標的細胞特異的蛋白の重染色を先に行い、次いで酸化ＤＮＡの重染色を行うことが必須である。
【００１８】
＜被染色核の脱色＞
次工程の酸化ＤＮＡの重染色では細胞核を染色するため、前工程で染色された被染色核を脱色する必要がある。前工程の核染色で核染色色素としてニュートラルレッドを使用した場合は、塩酸や氷酢酸による酸処理、又はＮａＯＨやＫＯＨ等のアルカリ処理を行うことにより、被染色核からニュートラルレッドを完全に遊離することができる。好ましくは、塩酸を用いる。前記酸及びアルカリの濃度は、０．１〜２Ｎ程度で十分脱色可能である。この時、２Ｎ塩酸を用いて脱色処理を行うと、次工程のＤＮＡの変性も同時に行うことができ非常に効率的である。
【００１９】
図２は、Duchenne型筋ジストロフィー症（ＤＭＤ）の２歳男児の上腕二頭筋組織切片の１％ニュートラルレッドによる核染色像（Ａ）と、同一核染色切片の２Ｎ塩酸処理によるニュートラルレッドの完全遊離像（Ｂ）である。図２（Ａ）に示すように、固定された組織切片を１％ニュートラルレッドと室温で３０秒間インキュベートすると、すべての細胞核は赤色に染まった。更にこの被染色組織切片を２Ｎ塩酸で処理すると、図２（Ｂ）に示すように、ニュートラルレッドは組織切片から完全に遊離している。したがって、このような方法で脱色処理することで、引き続き行われる免疫重染色には、ニュートラルレッドによる核染色の影響はないと言える。また、酸処理による脱色で、ニュートラルレッドは完全に遊離するが、前工程の記標的細胞特異的蛋白の重染色で好ましく使用されるアルカリホスファターゼの反応最終生成物であるホルマザンはほとんど脱色されない。よって、次工程の酸化ＤＮＡの重染色後の画像から被染色標的細胞の存在及び位置も確認できるので、脱色前に撮像し前記標的細胞の存在や位置の確認行う必要はない。
【００２０】
＜酸化ＤＮＡの重染色＞
本工程では、上記工程で脱色された組織細胞核内の酸化ＤＮＡを、該酸化ＤＮＡに対する特異的結合物質含有液又は特異的結合物質未含有液で重染色する。細胞核の核密度は個々の核やその切断面で異なっているため、異なる組織切片を用いて染色度を比較するのでは、組織細胞核ＤＮＡの酸化度を正確に定量することができない。従って、本発明の方法では組織切片を核染色色素による核染色後、該染色核を脱色し、同一の組織切片を用いて酸化ＤＮＡの重染色を行い、同一細胞核における核染色色素による核染色強度と酸化ＤＮＡの染色強度とを比較することにより、正確に組織細胞核ＤＮＡの酸化度を定量することが可能である。更に、本工程では前記特異的結合物質未含有液でも重染色を行い、この被重染色画像を後の画像解析でコントロールに使用すると、より正確に組織細胞核ＤＮＡの酸化度を定量できる。
【００２１】
組織細胞核ＤＮＡ中の酸化ＤＮＡを重染色するための上記特異的結合物質としては、酸化ＤＮＡに特異的に結合する物質であれば特に限定されない。前記酸化ＤＮＡとしては、例えば酸化的損傷塩基、酸化的損傷デオキシヌクレオシド、酸化的損傷デオキシヌクレオチド等が上げられ、具体的には、８−オキソグアニン、２，６−ジアミノ−４ヒドロキシ−５−ホルムアミドピリミジン、８−オキソアデニン、４，６−ジアミノ−５−ホルムアミドピリミジン、ウラシルグリコール、５−ヒドロキシシトシン、チミングリコール、５，６−ジヒドロチミン、５−ヒドロキシ−５，６−ジヒドロチミン、６−ヒドロキシ−５，６−ジヒドロチミン等の酸化的損傷塩基、これら酸化的損傷塩基を含むデオキシヌクレオシド、及びデオキシヌクレオチドが上げられる。これら種々の酸化ＤＮＡに対する特異的結合物質としては、前述したような酸化的損傷塩基や、それら酸化的損傷塩基を含むデオキシヌクレオシド及びデオキシヌクレオチドに対するモノクローナル抗体が好ましく使用できる。このようなモノクローナル抗体としては、抗８−ヒドロキシデオキシグアノシンモノクローナル抗体 N45.1（日研ザイル（株）日本老化制御研究所、静岡）、マウス８−オキソグアニンモノクローナル抗体（ＭＡＢ３５６０；Chemicon  International，Temecula，California，ＵＳＡ）、抗８−ヒドロキシデオキシグアノシン＆８−ヒドロキシグアノシンモノクローナル抗体（QED  bioscience，San  Diego，California，ＵＳＡ）、ＦＩＴＣラベル抗８−オキソグアニン抗体（Biotrim  International，Dublin，Ireland）等の一般に市販されているものが使用可能である。
【００２２】
前述したような種々の酸化ＤＮＡの中でも、特に８−オキソグアニンは低度の酸化ストレスによって生じ、またに８−オキソグアニンがもたらす突然変異は癌や老化への関与が示唆されるため、細胞核ＤＮＡ中の８−オキソグアニン量を定量することは非常に重要であると考えられる。このような理由から、前記特異的結合物質として、ＤＮＡ中の８−オキソグアニンに対するモノクローナル抗体を用いることが好ましい。特に好ましくは、本実験例で使用しているマウス抗８−オキソグアニンモノクローナル  Ｆａｂ１６６（米国バーモント大学  Ivan  Bespalov博士より恵与；Soultanakis  et  al．，Free  Radical  Biology＆Medicine，28，987−998，2000）を使用する。
【００２３】
＜被重染色組織の画像の取り込み＞
上記のようにして酸化ＤＮＡの重染色を行った後、その被重染色組織についてもカラー画像及びグレーレベル画像の取り込みを行う。グレーレベル画像の取り込みは、前記組織細胞核の染色像と同様に後述する吸光度測定用画像解析システムを用いる。このような吸光度測定用画像解析システムを用いることにより、画像の取り込みから個々の細胞核における吸光度（染色度）の測定まで行うことができる。取り込んだ画像から、前記標的細胞の存在と位置、被染色酸化ＤＮＡの位置及び組織の染色度（Ｄ）を確認する。
【００２４】
＜画像解析＞
前記工程で得られた標的細胞特異的物質及び酸化ＤＮＡの重染色のグレーレベル画像から、後述する吸光度測定用ＡＲＧＵＳ−１００画像解析システムを用い、個々の組織細胞核の４５１．２ｎｍの吸光度をそれぞれ測定する。同様にして、前記工程で得られた酸化ＤＮＡに対する特異的結合物質非存在下（コントロール）での連続組織切片の重染色画像についても、個々の組織細胞核の吸光度を測定する。この時、吸光度を測定する組織細胞核は、核染色色素で染色された細胞核の位置と対比させて同一性を確認し、更に標的細胞の組織細胞核であることも確認しなければならない。
【００２５】
＜ＤＮＡ酸化度の算出＞
上記で得られた組織の染色度（Ｄ）について、患者由来組織細胞の特異的結合物質含有液による染色度（Ｄpt）及び患者由来組織細胞の特異的結合物質未含有液による染色度（Ｄpc）からＰ＝Ｄpt／Ｄpc、健常者由来組織細胞の特異的結合物質含有液による染色度（Ｄnt）及び健常者由来組織細胞の特異的結合物質未含有液による染色度（Ｄnc）からＮ＝Ｄnt／Ｄnc、次いでＰ／Ｎをそれぞれ順次、算出することにより、患者の健常者に対するＤＮＡ酸化度を得ることができる。本計算式は、後述する本実験例から導かれた。
【００２６】
上記計算式Ｐ／Ｎを用いて、患者の健常者に対するＤＮＡ酸化度を算出することにより、ＤＮＡ酸化に起因する疾患の病理検査を行うことができる。すなわち、上述した方法で得られた酸化ＤＮＡの重染色像から、標的細胞の組織細胞核５０〜３００個の吸光度を患者及び健常者それぞれについて測定し、計算式Ｐ／Ｎの値が１．１〜１．３であるとき、患者はＤＮＡ酸化に起因する疾患に罹患していると判定することができる。
【００２７】
＜装置＞
各工程における画像の取り込み及び取り込んだ画像の解析には、本発明者が開発した吸光度測定用ＡＲＧＵＳ−１００画像解析システム（非特許文献３〜５参照）（以下、「本システム」と略記する）が好ましく用いられる。以下、吸光度測定用ＡＲＧＵＳ−１００画像解析システムについて詳しく説明する。本システムは、光学顕微鏡（ニコン、東京）、プランビコンカメラ(浜松ホトニクス、浜松)、ＡＲＧＵＳ−１００画像処理装置(浜松ホトニクス)、モニター(浜松ホトニクス)、プリンター(浜松ホトニクス)、安定化電源(高砂製作所、川崎)、及びソフトウエアからなる。ソフトウエアは、本発明者が測定原理、数式及び測定手順を提示し、そのプログラム化を浜松ホトニクスに依頼して作成されたものである。本システムは、組織切片のグレーレベル画像の取り込みから、取り込み画像における個々の細胞核の吸光度測定までを行うことが可能である。
【００２８】
本システム以外に、組織画像において吸光度を測定するソフトウェアは市販されていないが、透過率が既知のＮＤフィルターの透過光の強度を使用システムで測定して、入射光の強度を前もって求めておくと、検体の透過光の強度から吸光度を算出することができる。このような測定が可能と思われる市販機器として下記のAQUA−C・IMAGING顕微鏡イメージングシステム（浜松ホトニクス、浜松）、DXM 1200Fシステム（ニコン、東京）等が上げられる。本システムの代わりに、前述したようなシステムを利用することも可能である。
【００２９】
次に、実験例及び実施例により本発明を具体的に説明するが、本発明の範囲はこれに限定されるものではない。
【００３０】
（実験例１）
実験例では、本発明の方法を筋ジストロフィーの骨格筋と健常筋に応用し、筋ジストロフィーにおける酸化ストレスの細胞核ＤＮＡへの影響について明らかにした。
＜組織＞
インフォームドコンセントを得て、国立精神・神経センター（小平）で行われた,２、４、７歳のDuchenne型筋ジストロフィー（ＤＭＤ）男児患者３名及び２、３、６歳の健常男児３名からの上腕二頭筋バイオプシーの凍結検体の一部を使用した。
【００３１】
＜試験方法＞
(1)組織切片の作成と固定
上腕二頭筋バイオプシーの凍結検体から、７μｍの凍結連続切片をクリオスタット（Bright，Huntingdon，ＵＫ）を用いて作製し、前もって０．０１％のポリ−Ｌ−リジン（Sigma  Chemical，St．Louis，Missouri，ＵＳＡ）をコートしたスライドガラスに貼付した。組織切片は、風乾後−２０℃のメタノールに３０分間浸漬させることによって固定し、直ちに、氷冷した０．１Ｍ  Tris−buffered  saline（ＴＢＳ）（ｐＨ７．４）及び０．１Ｍ酢酸緩衝液（ｐＨ４．８）で、それぞれ５分間ずつ切片を洗浄した。組織切片は、被検者１名につき６枚用いた。
【００３２】
(2)細胞核の染色
室温の０．１Ｍ酢酸緩衝液（ｐＨ４．８）に溶かした１％ニュートラルレッド（和光純薬工業、大阪）で組織切片を３０秒間染色後、同緩衝液で５分間ずつ３回、室温で洗浄した。同緩衝液で組織切片を封入し、カバーガラスの周囲をマニキュアで封じた。直ちに、核染色像のグレーレベル画像とカラー画像を、後述の吸光度測定用ＡＲＧＵＳ−１００画像解析システムと、デジタルカメラを取り付けた光学顕微鏡を用いて、それぞれ取り込んだ。引き続き免疫重染色を行うために、プレパラートをＴＢＳに浸し、乳白色に変色したマニキュアとカバーガラスを除去し、組織切片を再び露出させた。
【００３３】
(3)ラミニンの免疫重染色
続いて、筋線維（細胞）の中の核（筋核）を外の核と区別するために、筋線維の細胞膜の外表面を覆っている基底膜に局在するラミニンβ２鎖の酵素免疫組織染色を次のようにして行った。ただし、筋衛星細胞は、通常、筋細胞膜と基底膜の間に存在するのでその核と筋細胞核とは区別できない。まず、(1)で核染色を行った組織切片を氷冷ＴＢＳで５分間ずつ３回洗浄後、組織切片の周囲の水分を拭き取り、ＰＡＰペン（大道産業、東京）で囲み、アビジン溶液（Zymed  Laboratories，South  San  Francisco，California，ＵＳＡ）を切片の上に載せ、１０分間インキュベートした。氷冷ＴＢＳで５分間ずつ３回洗浄後、ｄ−ビオチン溶液（Zymed）と１０分間インキュベートし、同様に洗浄した。次に、非特異的抗体結合部位をブッロックするため、０．０５％Tween20（片山化学工業、大阪）を含むＴＢＳ（ＴＢＳＴ）に溶かしたウサギの５％正常血清（Sigma）と切片を３０分間インキュベートした。引き続き、その正常血清液で２００倍に希釈したラットの抗ラミニンβ２（γ’）鎖モノクローナル一次抗体（MAB1914；Chemicon  International，Temecula，California，ＵＳＡ）と組織切片を４℃でー晩インキュベートした。氷冷ＴＢＳで５分間ずつ３回洗浄後、５％ウサギ正常血清を含むＴＢＳＴで２５００倍希釈したウサギのビオチン結合抗ラットＩｇＧ（Ｈ＋Ｌ）二次抗体（61−9540；Zymed）と組織切片を室温で２時間インキュベートした。氷冷ＴＢＳで５分間ずつ３回洗浄後、ストレプトアビジン−アルカリホスファターゼ（Zymed）と室温で１時間インキュベートした。氷冷ＴＢＳで５分間ずつ２回切片を洗浄後、１ｍＭ塩化レバミソール（内在性アルカリホスファターゼの阻害剤；ナカライテスク，京都）、０．１Ｍ塩化ナトリウム及び５０ｍＭ塩化マグネシウムを含む０．１Ｍトリス−塩酸緩衝液（ｐＨ９．５）と室温で５分間インキュベートした。次に、１ｍＭ塩化レバミソールと２％ポリビニルアルコール（熱湯に可溶；Sigma）を含むアルカリホスファターゼＢＣＩＰ／ＮＢＴ基質溶液（Zymed）と組織切片を、顕微鏡で反応最終産物である紫色のホルマザンの沈着を観察しながら室温で３５分間反応させた。２％ポリビニルアルコールを含むＴＢＳを切片にかけて反応を停止させた後、ＴＢＳＴで５分間２回洗浄した。
【００３４】
(4)被染色核の脱色と８−オキソグアニンの免疫重染色
ラミニンの免疫重染色を施した組織切片を、ＴＢＳに溶かした０．１％TritonX−100（Sigma）と室温で１５分間インキュベートし、氷冷ＴＢＳで５分間ずつ３回洗浄した。次に、１ｍＭ  ＥＤＴＡと０．４Ｍ塩化ナトリウムを含む０．０１Ｍトリス−塩酸緩衝液（ｐＨ７．４）に溶かした２０μｇ／ｍｌ  RNase（DNase  free；ニッポンジーン、富山）で切片を３７℃で１時間処理し、氷冷ＴＢＳで５分間ずつ３回洗浄した。さらに、５０ｍＭ  ＥＤＴＡを含む０．１Ｍトリス−塩酸緩衝液（ｐＨ８．０）に溶かした１０μｇ／ｍｌ  proteinaseＫ（PCR  grade；Roche  Diagnostics，Mannheim，Germany）で１０分間室温で処理し、氷冷ＴＢＳで切片を３分間洗浄した。ＤＮＡの変性とニュートラルレッドの組織切片からの完全遊離のために、組織切片を２Ｎ塩酸中に５分間浸漬した。２Ｎ塩酸と１Ｍトリスの混合液（１：２．５）中と氷冷ＴＢＳ中で切片をそれぞれ５分間ずつ洗浄した。非特異的抗体結合部位をブロックするため、上記(3)で述べたようなアビジン・ビオチン処理を行った後、室温のＢＥＡＴブロッカー溶液１Ａ（Zymed）と１時間インキュベートした。氷冷ＴＢＳで５分間ずつ２回洗浄した後、さらに、室温のＢＥＡＴブロッカー溶液１Ｂ（Zymed）で２０分間ブロックし、氷冷ＴＢＳで５分間ずつ２回洗浄した。８−オキソグアニン検出のテストとして、５％ヤギ正常血清（Sigma）を含むＴＢＳＴに溶かした０．０２μｇ／ｍｌマウス抗８−オキソグアニンモノクローナル一次抗体Ｆａｂ１６６（米国バーモント大学  Ivan  Bespalov博士より恵与；Soultanakis  et  al.，Free  Radical  Biology＆Medicine，28，987−998，2000）、コントロールとして５％ヤギ正常血清のみを含むＴＢＳＴをそれぞれ連続切片に載せ、４℃で一晩インキュベートした。（組織切片６枚／被検者１名は、それぞれ３枚を抗８−オキソグアニンモノクローナル一次抗体存在下、３枚を抗８−オキソグアニンモノクローナル一次抗体非存在下で反応させた。）氷冷ＴＢＳで５分間ずつ３回切片を洗浄後、ラット（徳島大学  原田永勝博士より恵与）、ウサギ、ヒト（徳島大学  佐藤八重子技師より恵与）、およびヤギの正常血清をそれぞれ１％の濃度で含むヤギのビオチン結合抗マウスＩｇＧ（Zymed）二次抗体溶液と室温で２時間インキュベートした。氷冷ＴＢＳで５分間ずつ３回切片を洗浄し、ストレプトアビジン−ぺルオキシダーゼ（ＨＲＰ；Zymed）と室温で１時間インキュベートした。氷冷ＴＢＳで５分間ずつ２回切片を洗浄後、ＴＢＳに溶かした１０ｍＭアジ化ナトリウム（内在性アルカリホスファターゼの阻害剤；ナカライテスク）と５分間室温でインキュベートした。次に、組織切片を顕微鏡で観察しながら１０ｍＭアジ化ナトリウムを含むペルオキシダーゼＤＡＢ基質溶液（Zymed）と室温で５０秒間反応させた。ＴＢＳで５分間ずつ３回切片を洗浄後、ＧＶＡ封入液（Zymed）で封入し、カバーガラスの周囲をマニキュアで封じた。直ちに、免疫重染色像のグレーレベル画像とカラー画像を、後述の吸光度測定用ＡＲＧＵＳ−１００画像解析システムと、デジタルカメラを取り付けた光学顕微鏡を用いて、それぞれ取り込んだ。
【００３５】
(5)画像解析
上記(2)及び(4)で取り込んだ組織切片のグレーレベル画像について、個々の細胞核に内接するフレームを設定し吸光度の測定を行った。吸光度の測定は、前述した吸光度測定用ＡＲＧＵＳ−１００画像解析システムを使用して行った。システムに含まれる透過型光学顕微鏡（ニコン、東京）には４５１．２ｎｍの干渉フィルター（日本真空光学、東京）と４０倍の対物レンズを取り付けた。一方、組織切片のカラー画像は、ツァイスAxioskop光学顕微鏡（Oberkochen，Germany）に取り付けたフジックスデジタルカメラ（ＨＣ−２５００  ３ＣＣＤ；富士写真フィルム、東京）から、Photograb−2500  version1.0（富士写真フィルム）を用いて取り込んだ。図２〜４に示したデジタル画像の処理はPhotoshop  version3.0J（Adobe  Systems，Mountain  View，California，ＵＳＡ)を使用して行った。
【００３６】
＜結果＞
（ニュートラルレッドによる核染色と被染色核の脱色）
図２は、(1)で作成された組織切片のうち、ＤＭＤの２歳男児の上腕二頭筋組織切片における、１％ニュートラルレッドによる核染色像（Ａ）と、同一核染色切片の２Ｎ塩酸処理によるニュートラルレッドの完全遊離像（Ｂ）である。図２に示すように、メタノール固定組織切片を１％ニュートラルレッドと室温で３０秒間インキュベートすると、すべての細胞核は赤色に染まった。幼若筋線維の細胞質は塩基好性を示すことが知られているため、ニュートラルレッドで細胞質が淡く染まった小さな筋線維は幼若筋線維と同定した（図２Ａ）。幼若筋線維の核は円形で、成熟筋線維のものより大きい。矢頭は幼若筋線維の核、矢印は塩基好性の細胞質を示す。図中のバーは２０μｍである。図２Ａの核染色切片を２Ｎ塩酸で処理すると、ニュートラルレッドは組織切片から完全に遊離した（図２Ｂ）。したがって、引き続き行われる免疫重染色には、ニュートラルレッドによる核染色の影響がないものとした。
【００３７】
（ラミニンと８−オキソグアニンの免疫重染色）
図３は、３歳健常男児の上腕二頭筋切片における上記(1)で得られたニュートラルレッドによる核染色像（Ａ，Ｄ）、上記(4)で得られた基底膜ラミニン及び８−オキソグアニンの免疫重染色像（Ｂ，Ｌ）及び抗８−オキソグアニン抗体非存在下で行った免疫重染色像（Ｃ，Ｆ）を示す。Ａ〜Ｃはカラー画像であり、Ｄ〜ＦはＡＲＧＵＳ−１００画像解析システムで取り込んだＡ〜Ｃにそれぞれ対応するグレーレベル画像である。なお、Ｃ及びＦに対応するニュートラルレッドによる核染色像は載せていない。図中のバーは２０μｍである。また、図４は４歳ＤＭＤ男児の上腕二頭筋切片の上記(1)で得られたニュートラルレッドによる核染色像（Ａ，Ｄ）、上記(4)で得られたラミニンと８−オキソグアニンの免疫重染色像（Ｂ，Ｅ）及び抗８−オキソグアニン抗体非存在下で行った免疫重染色像（Ｃ，Ｆ）を示す。Ａ〜Ｃはカラー画像であり、Ｄ〜ＦはＡＲＧＵＳ−１００画像解析システムで取り込んだＡ〜Ｃに対応するグレーレベル画像である。また、２歳ＤＭＤ男児の上腕二頭筋切片の上記(1)で得られたニュートラルレッドによる核染色像（Ｇ）、および上記(4)で得られたラミニンと８−オキソグアニンの免疫重染色像（Ｈ）も示す。なお、Ｃ及びＦに対応するニュートラルレッドによる核染色像は載せていない。図中のバーは２０μｍである。図３及び図４中の矢頭は８−オキソグアニン強染性筋線維核、＊は８−オキソグアニン弱染性筋線維核、矢印は基底膜ラミニンを示す。また黒印は成熟筋繊維核、グレー印は、幼若筋線維核を表している。
【００３８】
本実験例では、筋細胞を同定するため上記(3)で述べたように筋線維の細胞膜の外表面を覆っている基底膜に局在するラミニンβ２鎖の重染色を行った。図３及び図４から、ラミニンが局在する基底膜が薄紫色に染まっているのが確認できた。しかし、基底膜は筋線維とそれに付着する筋衛星細胞を共に覆っているため、本実験例では筋線維核と筋衛星細胞の核を区別できない。従って、以下でいう筋線維核には筋衛星細胞核が含まれる。図３Ｂ，Ｅと，図４Ｂ，Ｅ，Ｈとの比較から、ＤＭＤ筋の筋線維核の８−オキソグアニン免疫染色性（ＤＡＢ酸化重合化合物の褐色沈着）は、健常筋の筋線維核に比べて定性的に強いことがわかる。更に、ＤＭＤ筋（図４Ｇ，Ｈ）では８−オキソグアニン強染性の中心核を有する再生筋線維が多数検出された。これに対し、筋細胞の崩壊がない健常筋には再生筋繊維が見られなかった。また、抗８−オキソグアニン抗体非存在下では、非特異的染色がわずかに観察された（図３Ｃ，Ｆ及び図４Ｃ，Ｆ）。
【００３９】
（画像解析による８−オキソグアニン相対含量の算出）
ニュートラルレッドによる核染色性の多様性（図３Ａ，Ｄ及び図４Ａ，Ｄ，Ｇ）から明らかなように、細胞核の核酸密度は個々の核やその切断面で異なっている。本実験例では同一組織切片を重染色することで、同一細胞核における８−オキソグアニン免疫染色強度とニュートラルレッドによる核染色強度との比から細胞核ＤＮＡに対する８−オキソグアニンの相対含量を求めている。以下に８−オキソグアニンの相対含量の算出方法を述べる。
【００４０】
上記(1)及び(4)で得られたグレーレベル画像を用いて、染色強度（吸光度）の解析を行った。まず、ニュートラルレッドによる核染色切片のグレーレベル画像と、同一切片を用いて行ったラミニンおよび８−オキソグアニンの免疫重染色のグレーレベル画像から、同一筋線維核の４５１．２ｎｍの吸光度を前述した吸光度測定用ＡＲＧＵＳ−１００画像解析システムにてそれぞれ測定した。同様に、ニュートラルレッド核染色と、抗８−オキソグアニン抗体非存在下（コントロール）での免疫染色のグレーレベル画像において同一筋線維核の吸光度をそれぞれ測定した。ＤＭＤ患者由来筋組織細胞の筋繊維核に結合したニュートラルレッドの吸光度をＤpn、８−オキソグアニンとラミニンの免疫重染色を行ったときの筋繊維核における８−オキソグアニンの局在を示すＤＡＢ酸化重合化合物の吸光度をＤptとし、８−オキソグアニン非存在下での免疫染色におけるＤＡＢ酸化重合化合物に吸光度をＤpc、更に健常者由来筋組織細胞の筋繊維核に結合したニュートラルレッドの吸光度をＤnn、８−オキソグアニンとラミニンの免疫重染色を行ったときの筋繊維核における８−オキソグアニンの局在を示すＤＡＢ酸化重合化合物の吸光度をＤnt、８−オキソグアニン非存在下での免疫染色におけるＤＡＢ酸化重合化合物の吸光度をＤncとした。このようにして測定された吸光度について、Ｄpt／Ｄpn（図中の○）及びＤnt／Ｄnn（図中の●）をＤpn又はＤnnに対してプロットしたのが図５（Ａ）であり、Ｄpc／Ｄpn（図中の△）、Ｄnc／Ｄnn（図中の黒△）を、Ｄpn又はＤnnに対しプロットしたのが図５（Ｂ）である。すると、すべての場合において累乗でほぼ近似されるような曲線関係が示された。
【００４１】
次に、図５のデータを常用対数プロットすると、図６で示されるような直線関係が得られた。○はlog(Ｄpt／Ｄpn)＝0.704(−logＤpn)−0.301［式１］、●はlog(Ｄnt／Ｄnn)＝0.580(−logＤnn)−0.363［式２］、△はlog(Ｄpc／Ｄpn)＝0.596(−logＤpn)−0.417［式３］、  黒△はlog(Ｄnc／Ｄnn)＝0.552(−logＤnn)−0.477［式４］でそれぞれ近似できる。抗８−オキソグアニン抗体存在下での免疫染色の吸光度を非存在下での吸光度で補正するために、実測値Ｄpn又はＤnnと上記式２及び式４を用いて計算される抗８−オキソグアニン抗体非存在下でのlog(Ｄpc／Ｄpn)値又はlog(Ｄnc／Ｄnn)値を、抗８−オキソグアニン抗体存在下での実測値log(Ｄpt／Ｄpn)又はlog(Ｄnt／Ｄnn)から差し引くと、ＤＭＤ筋においてはlog(Ｄpt／Ｄpc)、健常筋においてはlog(Ｄnt／Ｄnc)の値が得られた。
【００４２】
更に、得られたＤpt／Ｄpc＝Ｐ及びＤnt／Ｄnc＝Ｎの値をＤpn又はＤnnに対しプロットすると、Ｄpn及びＤnnに依存しないほぼ一定のＰ値（ＤＭＤ筋）及びＮ値（健常筋）が求まった（図７）。図７中の記号はＤＭＤ男児の上腕二頭筋のそれぞれ成熟筋線維の辺縁核（○）と中心核（×）、及び幼若筋線維の核（△）におけるＰ値をそれぞれ示す。●は健常児の上腕二頭筋の筋線維核におけるＮ値を示す。Ｐ値及びＮ値は、８−オキソグアニンの相対含量を示し、核の核酸密度に依存しない。更にまた、ＤＭＤ男児の上腕二頭筋における成熟筋線維の核（辺縁核と中心核）と幼若筋線維の核、及び２〜６歳健常男児の上腕二頭筋の成熟筋線維の核（辺縁核と中心核）についてＰ、Ｎ及びＤpn、Ｄnnの平均値及び標準誤差（ＳＥＭ）を求めた。結果を表１に示す。表中の括弧内は吸光度を測定した筋線維核の数である。
【００４３】
【表１】
2006017692.tif 000003
【００４４】
ＤＭＤ筋についてはＰ値の平均値は１．５７であり、健常筋についてはＮ値の平均値は１．３８であった。これらの両値には有意差があり（ｐ＜０．０００１）、ＤＭＤ筋の筋線維核ＤＮＡに含まれるグアニンの酸化度が、健常筋のものより約１４％増大していることがわかる（Ｐ／Ｎ＝１．１３７）。本発明により、筋ジストロフィーにおける酸化ストレスの細胞核ＤＮＡへの影響を初めて定量的に明らかにすることができた。またＤpn／Ｄnn＝１．０６６からＤＭＤ筋の核（ＤＮＡ）密度は健常筋のものより約７％増大していることがわかる（有意差あり，ｐ＜０．０２）。有意差検定は、正規検定（Ｚ検定）により行った。
【実施例１】
【００４５】
インフォームドコンセントの下で２歳及び４歳の臨床所見がDuchenne型筋ジストロフィー（ＤＭＤ）男児患者２名及び３歳の健常男児１名から得た上腕二頭筋バイオプシーを用い、上記実験例と同様の方法で重染色及び画像解析を行った。その結果を表２に示す。表２から、ＤＭＤ患者１についてはＰ／Ｎ＝１．１６３、ＤＭＤ患者２についてはＰ／Ｎ＝１．１４８が算出され、２名の患者はいずれも組織病理学的に筋ジストロフィーに罹患していると判定された。
【００４６】
【表２】
2006017692.tif 000004
【産業上の利用可能性】
【００４７】
上記実施例では、筋細胞核ＤＮＡの酸化度を定量することで筋ジストフィーの病理検査を行ったが、本発明の組織細胞核ＤＮＡ酸化度の非破壊的定量方法は、筋細胞のみならず種々の細胞、また培養細胞にも応用可能であり、ＤＮＡ酸化に起因する疾病の病理検査と研究、老化に関する研究、スポーツ医学、法医学等広範な分野での活用が期待される。
【００４８】
例えば、本発明の組織細胞核ＤＮＡ酸化度の非破壊的定量は、老化、アポトーシス、並びに癌、動脈硬化、糖尿病、神経変性疾患（筋萎縮性側索硬化症（ＡＬＳ）・パーキンソン病・アルツハイマー病）、虚血・再灌流障害、アドリアマイシン心筋症、動脈硬化、消化管粘膜障害等のＤＮＡ酸化に起因する疾病の病理検査、更にはこれらの疾病の治療剤のスクリーニング等々に利用できる。
【図面の簡単な説明】
【００４９】
【図１】図１は、本発明の組織細胞核におけるＤＮＡ酸化度の非破壊的測定法の概要を示すフローチャート図である。
【図２】図２は、２歳ＤＭＤ男児の上腕二頭筋切片のニュートラルレッドによる核染色像（Ａ）と、同一核染色切片の塩酸処理によるニュートラルレッドの完全遊離像（Ｂ）を示す。
【図３】図３は、３歳健常男児の上腕二頭筋切片のニュートラルレッドによる核染色像（Ａ，Ｄ）、ラミニンと８−オキソグアニンの免疫重染色像（Ｂ，Ｅ）、および抗８−オキソグアニン抗体非存在下での免疫重染色像（Ｃ，Ｆ）であり、Ｄ〜Ｆは画像解析システムで取り込んだＡ〜Ｃにそれぞれ対応するグレーレベル画像である。
【図４】図４は４歳ＤＭＤ男児の上腕二頭筋切片のニュートラルレッドによる核染色像（Ａ，Ｄ）と、ラミニンと８−オキソグアニンの免疫重染色像（Ｂ，Ｅ）、および抗８−オキソグアニン抗体非存在下で行った免疫重染色像（Ｃ，Ｆ）。Ｄ〜Ｆは画像解析システムで取り込んだＡ〜Ｃにそれぞれ対応するグレーレベル画像であり、更に２歳ＤＭＤ男児の上腕二頭筋切片のニュートラルレッドによる核染色像（Ｇ）、及びラミニンと８−オキソグアニンの免疫重染色像（Ｈ）である。
【図５】図５（Ａ）は筋線維核における８−オキソグアニンの免疫染色のＤＡＢ酸化重合化合物の吸光度（Ｄpt，Ｄnt）を、筋線維核に結合したニュートラルレッドの吸光度（Ｄpn，Ｄnn）で割った値と、（Ｄpn，Ｄnn）との関係を示したグラフ図であり、（Ｂ）が抗８−オキソグアニン抗体非存在下での免疫染色における同様の関係を示したグラフ図である。
【図６】図６は図５（Ａ）、（Ｂ）それぞれのデータについて常用対数でプロットしたグラフ図である。
【図７】図７は抗８−オキソグアニン抗体存在下と非存在下での８−オキソグアニン免疫染色のＤＡＢ酸化重合化合物の吸光度比（Ｄpt／Ｄpc，Ｄnt／Ｄnc）を、筋線維核に結合したニュートラルレッドの吸光度（Ｄpn，Ｄnn）に対してプロットしたグラフ図である。
【図１】
2006017692.tif 000005
【図５】
2006017692.tif 000006
【図６】
2006017692.tif 000007
【図７】
2006017692.tif 000008
【図２】
2006017692.tif 000009
【図３】
2006017692.tif 000010
【図４】
2006017692.tif 000011